(57)【要約】【課題】本発明は、裸眼３Ｄ液晶表示パネル及びその駆動方法を提供する。【解決手段】前記裸眼３Ｄ液晶表示パネルは、向かい合って設置された第１基板及び第２基板と、液晶層とからなり、第１基板の液晶層に近い一面には駆動電極層が設けられ、第２基板の液晶層に近い一面には公共電極層が設けられる。駆動電極層と公共電極層は、周波数が同じで極性が反対の交流電圧駆動信号を受信することによって、両者の間にクランプされた液晶層を偏向させるとともに、３Ｄ表示を形成する。上述の方法によって、本発明は、裸眼３Ｄ表示時の駆動回路の電圧出力要求を小さくすることができ、駆動回路、特に駆動電源の安定性と負荷力を確保することができる。【選択図】２
2017533467.tif 000002
【特許請求の範囲】
【請求項１】
向かい合って設置された第１基板及び第２基板と、この２つの基板の間にクランプされた液晶層と、からなる裸眼３Ｄ液晶表示パネルであって、
そのうち、前記第１基板の前記液晶層に近い一面には駆動電極層が設けられ、前記第２基板の前記液晶層に近い一面には公共電極層が設けられ、前記駆動電極層と前記公共電極層は、周波数が同じで極性が反対の交流電圧駆動信号を受信することによって、両者の間にクランプされた前記液晶層を偏向させるとともに、３Ｄ表示を形成し、
そのうち、前記公共電極層は全面構造であり、前記駆動電極層は間隔をあけて設置された棒状構造であり、前記駆動電極層と前記公共電極層は同じ駆動電源に接続されることを特徴とする、裸眼３Ｄ液晶表示パネル。
【請求項２】
前記公共電極層が受信する電圧駆動信号を参考電圧駆動信号とし、前記公共電極層が受信する交流電圧駆動信号は、対応して第１組電圧振幅値を備え、前記駆動電極層が受信する交流電圧駆動信号は、対応して第２組電圧振幅値を備え、前記第１組電圧振幅値と前記第２組電圧振幅値において最大の電圧振幅値は、第３組電圧ユニットにおける最大の電圧振幅値の半分に等しく、前記第３組電圧振幅値は、前記液晶層が偏向して前記３Ｄ表示を形成し、且つ前記公共電極層が直流電圧駆動信号を受信する時に、駆動電極層が受信する交流電圧駆動信号が対応して備える電圧振幅値であることを特徴とする、請求項１に記載の裸眼３Ｄ液晶表示パネル。
【請求項３】
裸眼３Ｄ液晶表示パネルは、表示幕と、表示幕の光出力方向に設置されるとともに前記表示幕の近くに設置された裸眼３Ｄ液晶プリズム板と、からなることを特徴とする、請求項１に記載の裸眼３Ｄ液晶表示パネル。
【請求項４】
向かい合って設置された第１基板及び第２基板と、この２つの基板の間にクランプされた液晶層と、からなる裸眼３Ｄ液晶表示パネルであって、
そのうち、前記第１基板の前記液晶層に近い一面には駆動電極層が設けられ、前記第２基板の前記液晶層に近い一面には公共電極層が設けられ、前記駆動電極層と前記公共電極層は、周波数が同じで極性が反対の交流電圧駆動信号を受信することによって、両者の間にクランプされた前記液晶層を偏向させるとともに、３Ｄ表示を形成することを特徴とする、裸眼３Ｄ液晶表示パネル。
【請求項５】
前記公共電極層は全面構造であり、前記駆動電極層は間隔をあけて設置された棒状構造であることを特徴とする、請求項４に記載の裸眼３Ｄ液晶表示パネル。
【請求項６】
前記公共電極層が受信する電圧駆動信号を参考電圧駆動信号とし、前記公共電極層が受信する交流電圧駆動信号は、対応して第１組電圧振幅値を備え、前記駆動電極層が受信する交流電圧駆動信号は、対応して第２組電圧振幅値を備え、前記第１組電圧振幅値と前記第２組電圧振幅値において最大の電圧振幅値は、第３組電圧ユニットにおける最大の電圧振幅値の半分に等しく、前記第３組電圧振幅値は、前記液晶層が偏向して前記３Ｄ表示を形成し、且つ前記公共電極層が直流電圧駆動信号を受信する時に、前記駆動電極層が受信する交流電圧駆動信号に対応して備える電圧振幅値であることを特徴とする、請求項５に記載の裸眼３Ｄ液晶表示パネル。
【請求項７】
前記駆動電極層と前記公共電極層は、同じ駆動電源に接続されることを特徴とする、請求項４に記載の裸眼３Ｄ液晶表示パネル。
【請求項８】
前記裸眼３Ｄ液晶表示パネルは、表示幕及び表示幕の光出力方向に設置され、前記表示幕の近くに設置された裸眼３Ｄ液晶プリズム板からなることを特徴とする、請求項４に記載の裸眼３Ｄ液晶表示パネル。
【請求項９】
前記裸眼３Ｄ液晶表示パネルは、向かい合って設置された第１基板及び第２基板と、この２つの基板の間にクランプされた液晶層と、からなり、前記第１基板の前記液晶層に近い一面には駆動電極層が設けられ、前記第２基板の前記液晶層に近い一面には公共電極層が設けられ、
そのうち、前記駆動方法は、
駆動電極層と公共電極層に、周波数が同じで極性が反対の交流電圧駆動信号を印加する手順と、
液晶層が偏向するとともに３Ｄ表示を形成するのを制御する手順と、からなる
ことを特徴とする、裸眼３Ｄ液晶表示パネルの駆動方法。
【請求項１０】
前記公共電極層は全面構造であり、前記駆動電極層は間隔をあけて設置された棒状構造であることを特徴とする、請求項９に記載の裸眼３Ｄ液晶表示パネルの駆動方法。
【請求項１１】
前記駆動電極層と前記公共電極層に、周波数が同じで極性が反対の交流電圧駆動信号を印加する前記手順は、
前記公共電極層が受信する所定の電圧駆動信号を参考電圧駆動信号とする手順と、
印加された前記公共電極層が受信する交流電圧駆動信号が、対応して第１組電圧振幅値を備え、前記駆動電極層が受信する交流電圧駆動信号が、対応して第２組電圧振幅値を備え、さらに前記第１組電圧振幅値と前記第２組電圧振幅値において最大の電圧振幅値が、第３組電圧振幅値における最大の電圧振幅値の半分に等しく、前記第３組電圧振幅値は、前記液晶層が偏向して３Ｄ表示を形成し、且つ前記公共電極層が直流電圧駆動信号を受信する時に、前記駆動電極層が受信する交流電圧駆動信号が対応して備える電圧振幅値に設定する手順と、からなることを特徴とする、請求項１０に記載の裸眼３Ｄ液晶表示パネルの駆動方法。
【請求項１２】
前記駆動電極層と前記公共電極層は、同じ駆動電源に接続されることを特徴とする、請求項９に記載の裸眼３Ｄ液晶表示パネルの駆動方法。
【請求項１３】
前記裸眼３Ｄ液晶表示パネルは、表示幕と、表示幕の光出力方向に設置されるとともに前記表示幕の近くに設置された裸眼３Ｄ液晶プリズム板と、からなることを特徴とする、請求項９に記載の裸眼３Ｄ液晶表示パネルの駆動方法。
【発明の詳細な説明】
【技術分野】
【０００１】
本発明は、液晶表示の技術分野に関し、具体的には３Ｄ表示の技術分野に関し、特に、裸眼３Ｄ液晶表示パネル及びその駆動方法に関する。
【背景技術】
【０００２】
公衆の視覚を満足させるため、３Ｄ表示技術は、表示パネルにおいてなくてはならない表示機能の１つになってきており、特に裸眼３Ｄ表示技術は、さらに表示パネルの発展の流れを代表している。従来の裸眼３Ｄ表示技術は、主に液晶プリズムの駆動電極の電圧駆動信号における印加を制御することによって実現された。具体的には、液晶プリズムの基板上の公共電極に直流電圧駆動信号を印加するとともに、前記直流電圧駆動信号を参考電圧駆動信号とし、同時に別の基板上の駆動電極に交流電圧駆動信号印加し、交流電圧（駆動信号）を制御することによって、３Ｄ表示を実現することができる。
【０００３】
しかしながら、従来技術の裸眼３Ｄ表示技術は、直流電圧駆動信号を参考電圧駆動信号とし、裸眼３Ｄ表示に必要とされる液晶偏向角を実現するためには、比較的大きい交流電圧を印加することによって、比較的大きい振幅値を備える交流電圧駆動信号を生成する必要があるが、比較的大きい交流電圧は、駆動回路の電圧出力要求を大きくするだけでなく、駆動回路、特に駆動電源の安定性と負荷力に極めて影響を及ぼしやすい。
【発明の概要】
【発明が解決しようとする課題】
【０００４】
本発明は、裸眼３Ｄ表示時の駆動回路の電圧出力要求を小さくすることができ、駆動回路、特に駆動電源の安定性と負荷力を確保する裸眼３Ｄ液晶表示パネル及びその駆動方法を提供することを目的とする。
【課題を解決するための手段】
【０００５】
上述の目的を達成するために、本発明は、さらに別の技術案を採用する。本発明による裸眼３Ｄ液晶表示パネルは、向かい合って設置された第１基板と第２基板と、この２つの基板の間にクランプされた液晶層と、からなる。第１基板の液晶層に近い一面には駆動電極層が設けられ、第２基板の液晶層に近い一面には公共電極層が設けられる。駆動電極層と公共電極層は、周波数が同じで極性が反対の交流電圧駆動信号を受信することによって、両者の間にクランプされた液晶層を偏向させるとともに、３Ｄ表示を形成する。そのうち、公共電極層は全面構造であり、駆動電極層は間隔をあけて設置された棒状構造であり、駆動電極層と公共電極層は同じ駆動電源に接続される。
【０００６】
そのうち、公共電極層が受信する電圧駆動信号を参考電圧駆動信号とし、公共電極層が受信する交流電圧駆動信号は、対応して第１組電圧振幅値を備え、駆動電極層が受信する交流電圧駆動信号は、対応して第２組電圧振幅値を備え、第１組電圧振幅値と第２組電圧振幅値において最大の電圧振幅値は、第３組電圧ユニットにおける最大の電圧振幅値の半分に等しい。第３組電圧振幅値は、液晶層が偏向して３Ｄ表示を形成し、且つ公共電極層が直流電圧駆動信号を受信する時に、駆動電極層が受信する交流電圧駆動信号に対応して備える電圧振幅値である。
【０００７】
そのうち、裸眼３Ｄ液晶表示パネルは、表示幕及び表示幕の光出力方向に設置され、前記表示幕の近くに設置された裸眼３Ｄ液晶プリズム板からなる。
【０００８】
上述の目的を達成するために、本発明は、さらに別の技術案を採用する。本発明による裸眼３Ｄ液晶表示パネルは、向かい合って設置された第１基板と第２基板と、この２つの基板の間にクランプされた液晶層と、からなる。第１基板の液晶層に近い一面には駆動電極層が設けられ、第２基板の液晶層に近い一面には公共電極層が設けられる。駆動電極層と公共電極層は、周波数が同じで極性が反対の交流電圧駆動信号を受信することによって、両者の間にクランプされた液晶層を偏向させるとともに、３Ｄ表示を形成する。
【０００９】
そのうち、公共電極層は全面構造であり、駆動電極層は間隔をあけて設置された棒状構造である。
【００１０】
そのうち、公共電極層が受信する電圧駆動信号を参考電圧駆動信号とし、公共電極層が受信する交流電圧駆動信号は、対応して第１組電圧振幅値を備え、駆動電極層が受信する交流電圧駆動信号は、対応して第２組電圧振幅値を備え、第１組電圧振幅値と第２組電圧振幅値において最大の電圧振幅値は、第３組電圧ユニットにおける最大の電圧振幅値の半分に等しい。第３組電圧振幅値は、液晶層が偏向して３Ｄ表示を形成し、且つ公共電極層が直流電圧駆動信号を受信する時に、駆動電極層が受信する交流電圧駆動信号に対応して備える電圧振幅値である。
【００１１】
そのうち、駆動電極層と公共電極層は、同じ駆動電源に接続される。
【００１２】
そのうち、裸眼３Ｄ液晶表示パネルは、表示幕及び表示幕の光出力方向に設置され、前記表示幕の近くに設置された裸眼３Ｄ液晶プリズム板からなる。
【００１３】
上述の目的を達成するために、本発明は、さらに別の技術案を採用する。裸眼３Ｄ液晶表示パネルの駆動方法を提供する。裸眼３Ｄ液晶表示パネルは、向かい合って設置された第１基板と第２基板と、この２つの基板の間にクランプされた液晶層と、からなり、第１基板の液晶層に近い一面には駆動電極層が設けられ、第２基板の液晶層に近い一面には公共電極層が設けられる。駆動方法は、以下からなる。駆動電極層と公共電極層に、周波数が同じで極性が反対の交流電圧駆動信号を印加する。液晶層が偏向するとともに３Ｄ表示を形成するのを制御する。
【００１４】
そのうち、公共電極層は全面構造であり、駆動電極層は間隔をあけて設置された棒状構造である。
【００１５】
そのうち、駆動電極層と公共電極層に、周波数が同じで極性が反対の交流電圧駆動信号を印加する手順は、以下からなる。公共電極層が受信する所定の電圧駆動信号を参考電圧駆動信号とする。印加された公共電極層が受信する交流電圧駆動信号が対応して第１組電圧振幅値を備え、駆動電極層が受信する交流電圧駆動信号は、対応して第２組電圧振幅値を備え、さらに、第１組電圧振幅値と第２組電圧振幅値において最大の電圧振幅値は、第３組電圧ユニットにおける最大の電圧振幅値の半分に等しく、第３組電圧振幅値は、液晶層が偏向して３Ｄ表示を形成し、且つ公共電極層が直流電圧駆動信号を受信する時に、駆動電極層が受信する交流電圧駆動信号が対応して備える電圧振幅値である。
【００１６】
そのうち、駆動電極層と公共電極層は、同じ駆動電源に接続される。
【００１７】
そのうち、裸眼３Ｄ液晶表示パネルは、表示幕及び表示幕の光出力方向に設置され、前記表示幕の近くに設置された裸眼３Ｄ液晶プリズム板からなる。
【発明の効果】
【００１８】
上述の技術案によって、本発明の実施例は、第１基板と第２基板にそれぞれ設けられた駆動電極層と公共電極層が、周波数が同じで極性が反対の交流電圧駆動信号を印加することによって、裸眼３Ｄ液晶表示パネルの３Ｄ表示を実現する。従来技術と異なる点として、本発明の実施例は、直流電圧駆動信号を参考電圧駆動信号とするのではなく、駆動電極層と公共電極層における任意の１つが受信する交流電圧駆動信号を参考電圧駆動信号とする。両者が受信する交流電圧駆動信号の極性は反対であるため、従来技術における３Ｄ表示が必要とする液晶偏向角を実現するには、従来技術における交流電圧の半分を印加するだけで、同じ駆動効果を備える交流電圧駆動信号を生成することができる。それによって、駆動回路の電圧出力要求を小さくすることができ、駆動回路、特に駆動電源の安定性と負荷力を確保することができる。
【図面の簡単な説明】
【００１９】
【図１】本発明の好ましい実施例における３Ｄ液晶表示パネルの構造断面図である。
【図２】図１が示す駆動電極層が受信する交流電圧駆動信号を示した図である。
【図３】図１が示す公共電極層が受信する交流電圧駆動信号を示した図である。
【図４】従来技術における駆動電極層が受信する交流電圧駆動信号を示した図である。
【図５】従来技術における公共電極層が受信する直流電圧駆動信号を示した図である。
【図６】従来技術における３Ｄ表示が必要とする液晶偏向の角度を示した図である。
【図７】本発明の好ましい実施例における裸眼３Ｄ液晶表示パネルの駆動方法のフローチャートである。
【発明を実施するための形態】
【００２０】
以下に本発明の実施例中の図と組み合わせて、本発明の実施例における技術案について、分かりやすく全て説明する。明らかな点として、本発明が以下に描写する実施例は、本発明の一部の実施例に過ぎず、全ての実施例ではない。本発明の実施例に基づいて、本領域の一般の技術者が創造力を働かせずに取得した全てのその他の実施例は、全て本発明の保護範囲内に含まれるものとする。
【００２１】
図１は、本発明の好ましい実施例における３Ｄ液晶表示パネルの構造断面図である。参照する図１に示すように、裸眼３Ｄ液晶表示パネル１０は、第１基板１１と、第２基板１２と、液晶層１３と、からなり、そのうち第１基板１１と第２基板１２は、向かい合って間隔をあけて設置される。第２基板１２は、ＣＦ（Ｃｏｌｏｒ Ｆｉｌｔｅｒ，カラーフィルタ）カラーフィルム基板であり、第１基板１１は、ＴＦＴ（Ｔｈｉｎ  Ｆｉｌｍ  Ｔｒａｎｓｉｓｔｏｒ，薄膜トランジスタ）アレイ基板であり、第１基板１１は、透明基体及び前記透明基体に設置された各種配線と画素電極等を備える。
【００２２】
さらに、第１基板１１の液晶層１３に近い一面には駆動電極層１１１が設けられ、第２基板１２の液晶層１３に近い一面には公共電極層１２１が設けられる。駆動電極層１１１と公共電極層１２１は、周波数が同じで極性が反対の交流電圧駆動信号を受信することによって、第１基板１１と第２基板１２の間にクランプされた液晶層１３を偏向させるとともに、３Ｄ表示を形成する。指摘すべき点として、液晶層１３の偏向は、実質的に液晶層１３が備える液晶分子が引き起こす偏向を指している。
【００２３】
裸眼３Ｄ液晶表示パネル１０は、表示幕及び表示幕の光出力方向に設置され、前記表示幕の近くに設置された裸眼３Ｄ液晶プリズム板からなる。３Ｄを表示する時、本発明の実施例において、全面構造の公共電極層１２１が受信する交流電圧駆動信号を参考電圧駆動信号とすることが好ましく、駆動電極層１１１と公共電極層１２１が受信する交流電圧駆動信号は、同じ周波数及び反対の極性を備えるため、公共電極層１２１が受信する交流電圧駆動信号が、対応して第１組電圧振幅値Ｖを備え、駆動電極層１１１が受信する交流電圧駆動信号が、対応して第２組電圧振幅値Ｖ２を備える場合、駆動電極層１１１と公共電極層１２１が受信する交流電圧駆動信号の相対電圧差が対応して備える電圧振幅値は、第１組電圧振幅値Ｖ１と、第２組電圧振幅値Ｖ２の和、つまりＶ１＋  Ｖ２である。
【００２４】
図２に示す駆動電極層１１１が受信する交流電圧駆動信号と、図３に示す公共電極層１２１が受信する交流電圧駆動信号を合わせて参照するとともに、図４が示す従来技術における駆動電極層が受信する交流電圧駆動信号、及び図５が示す従来技術における公共電極層が受信する直流電圧駆動信号を参照する。
【００２５】
明らかな点として、従来技術において、公共電極層は、直流電圧駆動信号を受信するとともに参考電圧駆動信号とし、直流電圧駆動信号の電圧振幅値は０であり、従来技術において、駆動電極層は、対応して第３組電圧振幅値Ｖ３を備える交流電圧駆動信号を受信する。しかしながら、従来技術において、駆動電極層と公共電極層が受信する電圧駆動信号の相対電圧差が対応して備える電圧振幅値は、第３組電圧振幅値Ｖ３である、つまり、第３組電圧振幅値Ｖ３は、従来技術において液晶層が偏向し３Ｄ表示を形成し、公共電極層が直流電圧駆動信号を受信する時に、駆動電極層が受信する交流電圧駆動信号が対応し備える電圧振幅値である。
【００２６】
ここから分かる通り、図６に示す従来技術における３Ｄ表示が必要とする液晶偏向の角度を実現するには、ある時間ｔにおいて、第３組電圧振幅値Ｖ３に達するが、本発明の実施例は、時間ｔが対応する第１組電圧振幅値Ｖ１と第２組電圧振幅値Ｖ２の和を第３組電圧振幅値Ｖ３と同じにする、つまりＶ１  ＋  Ｖ２＝  Ｖ３とするだけでよい。
【００２７】
時間ｔが対応する第１組電圧振幅値Ｖ１と第２組電圧振幅値Ｖ２が同じである、つまりＶ１  ＝  Ｖ２の場合、従来技術における交流電圧の半分を印加することで、同じ駆動効果を備える交流電圧駆動信号を生成することができる。この時、２＊Ｖ１  ＝  Ｖ３且２＊Ｖ２  ＝  Ｖ３であり、３Ｄ液晶表示パネル１０の駆動回路の電圧出力範囲は、−１／２Ｖ３〜＋１／２Ｖ３または−Ｖ１〜＋Ｖ１或−Ｖ２〜＋Ｖ２である。従来技術における駆動回路の電圧出力範囲の半分であるため、３Ｄ表示時の３Ｄ液晶表示パネル１０の駆動回路の電圧出力要求を小さくすることができ、駆動回路、特に駆動電源の安定性と負荷力を確保することができる。
【００２８】
説明すべき点として、通常の状況下で駆動電極層１１１が受信するのは、単独の交流電圧ではなく、極性が同じで振幅値が異なる１組の電圧であるため、時間ｔが対応する第１組電圧振幅値Ｖ１または第２組電圧振幅値Ｖ２が第３組電圧振幅値Ｖ３の半分であり、実質的に第１組電圧振幅値Ｖ１と前記第２組電圧振幅値Ｖ２における最大電圧振幅値は、第３組電圧振幅値Ｖ３における最大電圧振幅値の半分と等しいということを指す。
【００２９】
図６に示すように、３Ｄ表示を実現する時に必要とされる駆動電極層１１１中の各領域Ｅ１〜  Ｅ６と公共電極層１２１間の相対電圧差をそれぞれ１２ｖ、１０ｖ、８ｖ、８ｖ、１０ｖ、１２ｖとすると、従来技術において必要とされる駆動電極層１１１中の各領域Ｅ１〜  Ｅ６がそれぞれ受信する電圧は、１２ｖ、１０ｖ、８ｖ、８ｖ、１０ｖ、１２ｖであるのに対し、本発明の実施例において必要とされる駆動電極層１１１中の各領域Ｅ１〜  Ｅ６がそれぞれ受信する電圧は、６ｖ、４ｖ、２ｖ、２ｖ、４ｖ、６ｖに過ぎない。明らかな点として、本発明の実施例の駆動回路の電圧出力範囲−６ｖ〜＋６ｖは、従来技術における電圧出力範囲−１２ｖ〜＋１２ｖのわずか半分である。
【００３０】
本発明の実施例において、駆動電極層１１１と公共電極層１２１は、同じ駆動電源に接続されることによって、上述の交流電圧駆動信号を生成できる交流電圧を出力することが好ましい。
【００３１】
説明すべき点として、本発明の実施例全文で述べる振幅値は、絶対値であり、例えば、２＊Ｖ１  ＝  Ｖ３は、第１組電圧振幅値Ｖ１が対応する絶対値は第３組電圧振幅値Ｖ３が対応する絶対値の半分であることを表す。各電圧駆動信号の極性は、正極"＋"と負極"−"を表す。各電圧駆動信号の振幅値Ｖの間の相対電圧差が対応して備える電圧振幅値は、同じ時間ｔまたは同じ時間内の各振幅値の和を表す。
【００３２】
さらに、設置位置に基づいて、駆動電極層１１１は、第１基板１１に被覆された棒状構造の透明の透光電極層であることが好ましい。例えば、第１基板（アレイ基板）１１には、さらにスキャン電極、絶縁層、鈍化層、画素電極が順番に設置され、駆動電極層１１１が絶縁層と鈍化層の間に設置されると、駆動電極層１１１と公共電極層１２１の材料を同じに設定することができ、全て酸化インジウム（ＩＴＯ）層にすることができる。もちろん、その他の実施例において駆動電極層１１１の位置と第１基板（アレイ基板）１１に設置したスキャン電極と、またはデータ電極が互いに対応する場合、駆動電極層１１１と公共電極層１２１の材料を異なる材料に設定することができ、不透明の透光金属層、例えば銅、アルミニウム等の金属層にすることができる。
【００３３】
図７は、本発明の好ましい実施例における裸眼３Ｄ液晶表示パネルの駆動方法のフローチャートである。図７に示すように、本実施例の駆動方法は以下からなる。
【００３４】
手順Ｓ７１は、駆動電極層と公共電極層に、周波数が同じで極性が反対の交流電圧駆動信号を印加する。
【００３５】
手順Ｓ７２は、液晶層が偏向するとともに３Ｄ表示を形成するのを制御する。
【００３６】
本実施例の駆動方法によって、上述の実施例の３Ｄ液晶表示パネル１０を駆動し、それは各手順を備える。上述の実施例の裸眼３Ｄ液晶表示パネル１０の各構造は対応して実行されるため、同じ技術効果を備える。
【００３７】
要約すると、本発明の実施例は、第１基板と第２基板にそれぞれ対応して設けられた駆動電極層と公共電極層が、周波数が同じで極性が反対の交流電圧駆動信号を印加することによって、裸眼３Ｄ液晶表示パネルの３Ｄ表示を実現する。従来技術と異なる点として、本発明の実施例は、直流電圧駆動信号を参考電圧駆動信号とするのではなく、駆動電極層と公共電極層における任意の１つが受信する
交流電圧駆動信号を参考電圧駆動信号とする。両者が受信する交流電圧駆動信号の極性は反対であるため、従来技術における３Ｄ表示が必要とする液晶偏向角を実現するには、従来技術における交流電圧の半分を印加するだけで、同じ駆動効果を備える交流電圧駆動信号を生成することができる。それによって、駆動回路の電圧出力要求を小さくすることができ、駆動回路、特に駆動電源の安定性と負荷力を確保することができる。
【００３８】
繰り返し説明するが、上述は、本発明の実施例に過ぎず、これによって本発明の特許請求の範囲が制限されるわけではなく、本発明の説明書及び図の内容を利用して行われた同等の構造または同等の工程の変更全て、例えば各実施例間の技術的な特徴を互いに交えたり、直接または間接的にその他の関連する技術領域で運用したりするなどはどれも同様に本発明の特許請求の保護範囲内に含まれるものとする。
【符号の説明】
【００３９】
１０    裸眼３Ｄ液晶表示パネル
１１    第１基板
１２    第２基板
１３    液晶層
１１１  駆動電極層
１２１  公共電極層
Ｖ１          第１組電圧振幅値
Ｖ２          第２組電圧振幅値
Ｖ３          第３組電圧振幅値
ｔ      時間
【図１】
2017533467.tif 000003
【図２】
2017533467.tif 000004
【図３】
2017533467.tif 000005
【図４】
2017533467.tif 000006
【図５】
2017533467.tif 000007
【図６】
2017533467.tif 000008
【図７】
2017533467.tif 000009
【国際調査報告】
2017533467.tif 000010
2017533467.tif 000011
2017533467.tif 000012
2017533467.tif 000013